(57)【特許請求の範囲】
【請求項１】
ＩＣカードの記憶部に対し、カード番号を含むカードエンコード情報を書き込むエンコーダと、
ＩＣカードが取り付けられる送付状を構成するカード台紙に、顧客の個人情報を印刷する台紙データ印刷部と、
カード台紙に印刷された前記個人情報を光学的に読み取る台紙データ読取部と、
前記ＩＣカードの記憶部からカード番号を読み出し、この読み出したカード番号と、前記台紙データ読取部が読み取った個人情報とを紐付けた紐付けデータを生成する紐付けデータ生成部と、
前記紐付けデータを顧客データベースに書き込んで記憶させる顧客管理サーバと
を備えることを特徴とするカード発行システム。
【請求項２】
前記エンコーダが、前記ＩＣカードに前記カード番号を書き込んだ後、前記ＩＣカードの券面に対し、前記カード番号を含むカード情報を印刷するカード印刷部をさらに備えることを特徴とする請求項１に記載のカード発行システム。
【請求項３】
前記カード印刷部が、前記カード情報を前記ＩＣカードの券面に印刷した後、当該ＩＣカードが印刷不良及び書込不良のいずれでもないことを検出する打損カード検出部をさらに備えることを特徴とする請求項２に記載のカード発行システム。
【請求項４】
ＩＣカードの記憶部に対し、カード番号を含むカードエンコード情報を書き込むカード番号書込過程と、
ＩＣカード取り付けられる送付状を構成するカード台紙に、顧客の個人情報を印刷するカード台紙印刷過程と、
カード台紙に印刷された前記個人情報を光学的に読み取る読取過程と、
前記ＩＣカードの記憶部からカード番号を読み出し、この読み出したカード番号と、前記読取過程において読み取った個人情報とを紐付けた紐付けデータを生成する紐付けデータ生成過程と、
前記紐付けデータを顧客データベースに書き込んで記憶させる紐付けデータ登録過程と
を有することを特徴とするカード発行方法。
【請求項５】
前記カード番号書込過程の後、前記ＩＣカードに前記カード番号を書き込んだ後、前記ＩＣカードの券面に対し、前記カード番号を含むカード情報を印刷するＩＣカード印刷過程を
有することを特徴とする請求項４に記載のカード発行方法。
【発明の詳細な説明】
【技術分野】
【０００１】
本発明は、ポストペイ型電子マネー等に用いるカード発行システム及びカード発行方法に関する。
【背景技術】
【０００２】
近年、電子マネーが社会的なインフラとして認知されはじめている。例えば、プリペイド（前払い）方式の電子マネーは、ＩＣカードに貨幣価値を表す残額データを記録しておき、商店等での支払いや銀行口座からの引き出しに連動して、残額データを変更している。
一方、ポストペイ（後払い）方式の電子マネーも普及が広がっている。このポストペイ方式の電子マネーは、一般的なクレジットカードと同様に、商店等における支払を、後に銀行口座から引き落とす方式である。ただし、クレジットカードと比較して、利用可能な金額が少なく設定されている（例えば、特許文献１参照）。
【０００３】
このポストペイカードを発行する際、ポストペイカードを使用する会員にカード番号を紐付ける処理が行われる。すなわち、カード発行のフローにより、ホストペイカードが発行されて、会員に送付される。図４は、このポストペイカードの発行の流れを示すフローチャートである。図４（ａ）は、カード製造工場におけるカード製造工程の流れを示すフローチャートである。また、図４（ｂ）は、カード発行工場におけるカード発行工程の流れを示すフローチャートである。
【０００４】
以下、図４（ａ）を用いて、カード製造工場におけるポストペイカードのカード製造工程の説明を行う。
ステップＳ１０１：
ＩＣ（Integrated Circuit）チップをカードに実装し、必要応じてアンテナ、インレット及び電極を形成し、カードの図柄の印刷を行い、カードの形態となるように成型し、生カードを製造する。
ステップＳ１０２：
生カードのＩＣチップ内のメモリ等のイニシャライズ（０次発行）を行い、またＩＣチップのメモリにおける記録エリアを設定するエリア分け（１次発行）を行い、０次・１次発行ＩＣカードとして、カード発行工程を行うカード発行工場へ搬出する。
【０００５】
次に、図４（ｂ）を用いて、カード発行工場におけるポストペイカードのカード発行工程の説明を行う。ステップＳ２０５からＳ２０８においてカード発行処理が行われ、ステップＳ２０９からＳ２１１においてカードをユーザに送付する際の台紙を生成する。
ステップＳ２０１：
カード発行に必要な顧客データなどを含む得意先データを、カード発行会社のサーバから取得する。ここで、顧客データとは、発行したカードの送付先情報、名前、住所や年齢などの会員情報等である。得意先データは、この顧客データに対し、顧客データに対して紐付けを行うカード番号や、カード発行会社を識別する会社識別情報等を付加したデータである。
【０００６】
ステップＳ２０２：
カード発行工場においては、得意先データが全て揃っているか、またカード発行会社と会社識別番号とが合っているかなどのデータチェックを行う。
ステップＳ２０３：
得意先データに欠落した顧客データ、または会社識別情報が間違っているなどのエラーがある場合、処理をステップＳ２０４に進め、得意先データにエラーが無い場合、処理をステップＳ２０５及びＳ２０６へ進める。
ステップＳ２０４：
ステップＳ２０２においてエラーがあると判定されたユーザの得意先データを、カード発行会社のサーバから再取得する。
【０００７】
ステップＳ２０５：
ＩＣチップにおけるエリア分けされたメモリ領域に書き込むデータ型式に、供給された得意先データを変更する（２次発行のための２次発行データの生成）。
ステップＳ２０６：
ＩＣチップにおけるエリア分けされたメモリ領域に対し、ユーザ個別の得意先データを書き込む（２次発行データのＩＣチップへの書き込み処理）。ここで、０次・１次発行カードから、カード番号とユーザの顧客データとが紐付いた２次発行カードとする２次発行処理が行われたことになる。
また、印刷機によりユーザの名前、カード番号などをカードの券面に印刷する。
【０００８】
ステップＳ２０７：
ＩＣチップのメモリに正常に得意先データが書き込まれているか、また券面に印刷された文字などが読み取れる状態かなどのチェックを行う（打損カードであるか否かのチェックを行う）。
ステップＳ２０８：
カードが打損カードである場合、処理をステップＳ２０６に戻し、カードが打損カードで無い場合、処理をステップＳ２１２へ進める。
【０００９】
ステップＳ２０９：
カードの送付用の台紙に印刷するカード台紙データを生成する。ここで、カード台紙データは、例えばユーザの名前、送付先及びカード会社の名称などを含むデータである。
ステップＳ２１０：
カード台紙に、ステップＳ２０９において作成したカード台紙データを印刷する。
ステップＳ２１１：
カード台紙に印刷されたカード台紙データをＯＣＲ（Optical Character Reader）等により読み取り、ＯＣＲデータとする。
【００１０】
ステップＳ２１２：
そして、封入封緘装置は、ＩＣチップのメモリに書き込んだ得意先データと、ＯＣＲデータとの共通データが一致するか否かのマッチングを行う。例えば、共通データとしてユーザの名前、送付先の住所、カード番号における数桁（カード番号の一部）とを用いる。カード台紙データにおいては、カード番号の共通データ以外の桁がマスクされて（例えば、＊マークに変換されるなどして）読めないようになっている。
ステップＳ２１３：
封入封緘装置は、得意先データとＯＣＲデータトが一致することを確認して、カード台紙に粘着テープなどでカードを固定して、このＩＣチップが貼着されたカード台紙を封筒に挿入し、封筒をとじる封入封緘処理を行う。
そして、この封入封緘後、封筒をユーザに送付し、受け取ったユーザは発行されたカードを用いることができる。
【先行技術文献】
【特許文献】
【００１１】
【特許文献１】特開平０９−１２８６０１号公報
【発明の概要】
【発明が解決しようとする課題】
【００１２】
しかしながら、図３に示すカード製造及びカード発行の製造フローにおいては、ステップＳ２０７で打損カードと判定されると、新しい０次・１次カードに対して、再度ステップＳ２０６からＳ２０８までの処理を行う必要がある。
このため、打損カードが検出されると、ステップＳ２１２のマッチング処理及びステップＳ２１３における封入封緘処理が行われなくなり、カード発行工程が停止してしまう。
また、新たな０次・１次カードに対して２次発行処理を行った後、封入封緘装置においてマッチング処理が問題なく行える位置に手動で、再度作成したカードを配置する必要がある。
このため、図３に示すカード発行処理は、打損カードの発生により、カード発行工程の工程数が増加し、ＩＣカードの生産効率が低下し、カード発行処理にかかる製造原価が高くなる欠点がある。
【００１３】
本発明は、このような事情に鑑みてなされたもので、打損カードの発生によるカード発行工程における製造原価の増加を防止するカード発行システム及びカード発行方法を提供することを目的とする。
【課題を解決するための手段】
【００１４】
本発明のカード発行システムは、ＩＣカードの記憶部に対し、カード番号を含むカードエンコード情報を書き込むエンコーダ（実施形態における２次発行部２５）と、ＩＣカードが取り付けられる送付状を構成するカード台紙に、顧客の個人情報を印刷する台紙データ印刷部と、カード台紙に印刷された前記個人情報を光学的に読み取る台紙データ読取部と、前記ＩＣカードの記憶部からカード番号を読み出し、この読み出したカード番号と、前記台紙データ読取部が読み取った個人情報とを紐付けた紐付けデータを生成する紐付けデータ生成部と、前記紐付けデータを顧客データベースに書き込んで記憶させる顧客管理サーバとを備えることを特徴とする。
【００１５】
本発明のカード発行システムは、前記エンコーダが、前記ＩＣカードに前記カード番号を書き込んだ後、前記ＩＣカードの券面に対し、前記カード番号を含むカード情報を印刷するカード印刷部をさらに備えることを特徴とする。
【００１６】
本発明のカード発行システムは、前記カード印刷部が、前記カード情報を前記ＩＣカードの券面に印刷した後、当該ＩＣカードが印刷不良及び書込不良のいずれでもないことを検出する打損カード検出部をさらに備えることを特徴とする。
【００１７】
本発明のカード発行方法は、ＩＣカードの記憶部に対し、カード番号を含むカードエンコード情報を書き込むカード番号書込過程と、ＩＣカード取り付けられる送付状を構成するカード台紙に、顧客の個人情報を印刷するカード台紙印刷過程と、カード台紙に印刷された前記個人情報を光学的に読み取る読取過程と、前記ＩＣカードの記憶部からカード番号を読み出し、この読み出したカード番号と、前記読取過程において読み取った個人情報とを紐付けた紐付けデータを生成する紐付けデータ生成過程と、前記紐付けデータを顧客データベースに書き込んで記憶させる紐付けデータ登録過程とを有することを特徴とする。
【００１８】
本発明のカード発行方法は、前記カード番号書込過程の後、前記ＩＣカードに前記カード番号を書き込んだ後、前記ＩＣカードの券面に対し、前記カード番号を含むカード情報を印刷するＩＣカード印刷過程を有することを特徴とする。
【発明の効果】
【００１９】
この発明によれば、カードにカードエンコード情報を書き込む２次発行の段階において、カードエンコード情報と顧客の個人情報とを紐付けず、ＩＣカードをカード台紙に貼着する際に、ＩＣカードに記憶されているエンコード情報と、顧客の個人情報とを紐付けるため、従来のように、打損カードが検出されても、ＩＣカードに貼着する際に他のＩＣカードと容易に交換が可能である。
このため、この発明によれば、他損カードと交換したＩＣカードのエンコード情報と、顧客の個人情報とを紐付けた後、ＩＣカードに貼着して封筒への封入封緘処理を行うこととなり、従来のように打損カードが検出されても、封入封緘処理において遅延が起こらず、従来に比較して製造原価を低下させることができる。
【図面の簡単な説明】
【００２０】
【図１】この発明の一実施形態によるカード発行システムの構成例を示すブロック図である。
【図２】本実施形態におけるカード封入封緘装置１８の概要を示す図である。
【図３】本実施形態におけるカード発行システムにおけるカード発行の動作例を示すフローチャートである。
【図４】従来のポストペイカードの発行の流れを示すフローチャートである。
【発明を実施するための形態】
【００２１】
以下、図面を参照して、本発明の実施の形態について説明する。図１は、この発明の一実施形態によるカード発行システムの構成例を示す概略ブロック図である。
この図において、カード発行システムは、カード発行工場１、カード製造工場及びクライアント３の各々に設置されている装置により構成されている。
カード製造工場２は、ＩＣカード本体を製造する工場であり、製造サーバ２１、製造データベース２２、カード製造装置２３、０次・１次発行部２４及び２次発行部２５を備えている。
【００２２】
製造サーバ２１は、カード製造装置２３、０次・１次発行部２４及び２次発行部２５の各々におけるＩＣカードの製造工程を制御する。
製造データベース２２は、クライアント３のカード管理サーバ３１から提供されたクライアント３の情報（会社識別情報）と、このＩＣカードを識別するカード番号とを含むエンコードデータが記憶されている。このカード番号は、例えば、カード管理会社であるクライアント３に与えられたシーケンス番号の番号帯（ＸＸＸＸ−００００−００００〜ＸＸＸＸ−９９９９−９９９９）である。
カード製造装置２３は、ＩＣチップをカードに封止し、封止したＩＣチップのメモリに何ら処理をしていない生ＩＣカードとしてのＩＣカードの製造を行う。
【００２３】
０次・１次発行部２４は、ＩＣ製造装置２３が製造した生ＩＣカード内のメモリをイニシャライズする０次発行処理を行う。
また、０次・２次発行部２４は、０次発行したＩＣカードのメモリにおける記録エリアを設定するエリア分けしてフォーマット処理である１次発行処理を行い、０次発行処理及び１次発行処理が終了したＩＣカードを０次・１次発行ＩＣカードとする。
２次発行部２５は、エンコードデータ（エンコード情報）を０次・１次発行ＩＣカードの記憶部の対応する記憶エリアに書き込むエンコーダであり、エンコードデータを記録エリアに書き込んで２次発行を行い、２次発行ＩＣカードを生成する。このとき２次発行部２５は、エンコード処理される順番に従い、０次・１次ＩＣカードに対して、ＩＣカード番号を順次連番で書き込む。この２次発行ＩＣカードの生成において、０次・１次ＩＣカードのエンコード処理される順番は、０次・１次カードの発行された順番でも良いし、０次・１次カードの発行された順番に関係なく新たな処理順番を設定しても良い。
【００２４】
カード発行工場１は、ＩＣカードを使用可能な状態として、顧客に発送する工場であり、データ送受信部１１、データチェック部１２、台紙データ作成部１３、台紙データ印刷部１４、台紙データ読取部１５、ＩＣチップリーダ１６、紐付けデータ生成部１７、ＩＣカード封入封緘装置１８及び顧客データ記憶部１９を備えている。
データチェック部１２は、ネットワーク５及びデータ送受信部１１を介して、カード管理サーバ３１から顧客データの供給を定期的に受け、顧客データが揃っているか否かの判定を行い、揃っている顧客データを、顧客データ記憶部１９に対し、顧客識別番号（シリアル番号）を付加して順次書き込む。
【００２５】
ここで、顧客データは、発行したＩＣカードの送付先情報（送付先の住所）、顧客の名前、顧客の年齢、顧客の電話番号、顧客の住所等のデータなどである。
台紙データ作成部１３は、顧客デー記憶部１９から顧客データの１部あるいは全部を読み出し、ＩＣカードを顧客に発送する際の宛名等が記載される台紙に印刷される台紙データを生成する。
台紙データ印刷部１４は、プリンタが備えられており、台紙データ作成部１３が生成した台紙データを、順次、プリンタにより台紙に印刷し、顧客に発送する際、ＩＣカードを貼着する台紙を作成する。
【００２６】
台紙データ読取部１５は、例えば、ＯＣＲ（Optical Character Reader）が備えられており、カード台紙に印刷されている顧客データの画像を読み取り、読み取った画像から文字認識により得られた文字データをＯＣＲデータとして出力する。ここで、台紙データ読取部１５は、カード台紙の表面の所定の領域に印刷されている台紙データを読み込む。台紙データ読取部１５は、この所定の領域により顧客データの種類を認識する。
ＩＣチップリーダ１６は、ＩＣカードに封止されているＩＣチップのメモリに記憶されているエンコードデータを読み出す。
紐付けデータ生成部１７は、台紙データ読取部１５がカード台紙から読み取ったＯＣＲデータと、ＩＣチップリーダ１６がＩＣチップから読み込んだエンコードデータとを関連づける処理、すなわち顧客データとエンコードデータとの紐付け処理を行う。
【００２７】
また、紐付けデータ生成部１７は、紐付けの結果に対応して、顧客データ記憶部１９において、すでに書き込まれている顧客データに対応させてエンコーダデータを書き込む。すなわち、顧客データ記憶部１９には、顧客データと、この顧客データに紐付けられたエンコードデータとが組として記憶されることになる。
そして、紐付けデータ生成部１７は、定期的に、後述するＩＣカードの送付に合わせ、顧客データとエンコーダデータとの紐付けられた組をクライアント３のカード管理サーバ３１へ送信する。
【００２８】
ＩＣカード封入封緘装置１８は、顧客データ及びエンコードデータが紐付けられた関係にあるカード台紙とＩＣカードとを、封筒に挿入し、封緘処理を行う。
このとき、ＩＣカード封入封緘装置１８は、台紙の所定の位置にＩＣカードを貼着し、このＩＣカードが貼着されたカード台紙を、封筒に挿入する。
そして、このＩＣカードが封止された封筒は、カード台紙に印刷されたＩＣカードの送り先住所に届けられ、受け取った顧客はＩＣカードを利用することができる。
【００２９】
図２は本実施形態におけるカード封入封緘装置１８の概要を示す図である。この図２において、カード封入封緘装置１８は、ライン１８１、ライン１８２、封入封緘部１８３、ライン１８４を備えている。ライン１８１にはＩＣカードが流れており、ライン１８２にはＩＣカードを貼着するカード台紙が流れている。ＩＣカードとカード台紙とは、ＩＣチップリーダ１６でエンコードデータが読み出されるＩＣカードがＩＣチップリーダ１６を通過するタイミングと、このＩＣカードが貼着されるカード台紙が台紙データ読取部１５を通過するタイミングとが同期して流されている。
【００３０】
封入封緘部１８３は、同期して流れてくるＩＣカードとカード台紙とに対し、このＩＣカードをカード台紙の予め設定した所定の位置に貼着する。
そして、封入封緘部１８３は、ＩＣカードが貼着されたカード台紙を封筒に封入した後、この封筒の封緘処理を行い、ＩＣカードが貼着されたカード台紙が封入された封筒を、ライン１８４から流し出す。上述したライン１８１、１８２及び１８４は、例えば、搬送コンベアなどで構成された搬送装置である。
【００３１】
図１に戻り、クライアント３は、カード管理サーバ３１及びカード管理データベース３２を備えている。
カード管理データベース３２は、顧客データとエンコードデータとが紐付けられて、記憶されている。
カード管理サーバ３１は、カード製造工場２の製造サーバ２１及びカード発行工場１のデータ送受信部１１とデータの送受信を行い、カード管理データベース３２に対し、顧客データとエンコードデータとを紐付けて書き込み、記憶させる。
カード発行工場１のデータ送受信部１１と、カード製造工場２の製造サーバ２１と、クライアント３のカード管理サーバ３１とは、ネットワーク５を介して接続されている。
ネットワーク５は、インターネットを含むコンピュータのデータ回線である。
【００３２】
次に、図１及び図３を用い、本実施形態におけるカード発行システムの動作を説明する。図３は本実施形態におけるカード発行システムにおけるカード発行の動作例を示すフローチャートである。図３（ａ）は、カード製造工場２におけるＩＣカードの製造工程、０次・１次発行処理及び２次発行処理の動作例を示すフローチャートである。図３（ｂ）は、カード発行工場３におけるＩＣカード発行工程の動作例を説明するフローチャートである。
まず、図３（ａ）を用いて、カード製造工場２におけるＩＣカードの製造工程、０次・１次発行処理及び２次発行処理の動作を説明する。
ステップＳ１：
カード製造装置２３は、ステップＳ１０１と同様の処理により、ＩＣチップをカード基板に実装するとともに、アンテナ、インレット及び電極等をカード基板に形成し、カードの券面に対してカード図柄の印刷を行い、カード基板をＩＣカードの形態となるように成型し、生カードの製造を行う。
【００３３】
ステップＳ２：
０次・１次発行部２４は、カード製造装置２３にて製造した生カードのＩＣチップに設けられたメモリ（記憶部）等のイニシャライズを行い、すなわち生カードに対する０次発行処理を行う。
そして、０次・１次発行部２４は、イニシャライズを行った後のＩＣチップのメモリに、後述するカード番号、カード発行会社を識別する会社識別情報などのデータ種類を含むエンコードデータを書き込む記録エリアを設定するエリア分けを行い、すなわち生カードに対する１次発行処理を行う。ここで、１次発行処理が行われたＩＣカードは、０次・１次ＩＣカードとなる。
【００３４】
ステップＳ３：
２次発行部２５は、製造データベース２２からエンコードデータを読み出し、必要なエンコードデータとしてのデータ種類のデータ全てが揃っているか否かの判定を行い、ＩＣカードにおけるＩＣチップのメモリの記録エリアに書き込むデータ形式に変換する。
【００３５】
ステップＳ４：
そして、２次発行部２５は、０次・１次ＩＣカードにおける０次・１次発行部２４の設定した記録エリアに対し、データ形式を変換したエンコードデータを書き込み、２次発行処理を行う。この２次発行処理が行われたＩＣカードは、２次ＩＣカードとなる。また、このとき、２次発行部２５は、２次ＩＣカードのＩＣチップのメモリに書き込まれた、エンコードデータが正常に読み出せるかを、書き込んだデータと読み出したデータとを比較することにより判定する。
さらに、２次発行部２５は、２次ＩＣカードの券面に印刷された文字を読み取り、読み取った文字と印刷した文字とが一致するか否かの画像処理を用いた判定を行い、券面に文字などが正常に印刷されたが否かの検査を行う。
【００３６】
そして、２次発行部２５は、エンコードデータが読み出せない場合、あるいは券面に文字が正常に印刷されていない場合、この２次ＩＣカードを打損カードと判定する。打損カードが発生した場合、このエンコードデータは、図２（ａ）の処理で作成された他のＩＣカードに書き込まれ、再度テストされる。
この後、２次ＩＣカードは、カード発行工程が行われるカード発行工場１に搬送される。
【００３７】
次に、図３（ｂ）を用いて、カード発行工場１におけるＩＣカード発行工程の動作を説明する。
ステップＳ１１：
データチェック部１２は、カード発行に必要な顧客データの送信を、データ送受信部１１を介して、クライアント３のカード管理サーバ３１に対して依頼する制御信号を送付する。
カード管理サーバ３１は、顧客データを顧客管理データベース３２から読み出し、読み出した顧客データに顧客識別番号を付加して、ネットワーク５を介して、カード発行工場１のデータ送受信部１１へ送信する。
データチェック部１２は、データ送受信部１１を介し、クライアント１から送信された顧客データに、顧客識別番号を付加して顧客データ記憶部１９へ書き込んで記憶させる。
【００３８】
ステップＳ１２：
データチェック部１２は、顧客データ記憶部１９に記憶した顧客データを読み出し、顧客データのデータ形式及び必要なデータが揃っているか否かのエラーの有無の判定を行う。
このとき、データチェック部１２は、予め設定されている種類のデータが欠落することなく全て存在しているか否かにより、顧客データとして必要なデータが揃っているか否かによりエラーの判定を行う。
【００３９】
ステップＳ１３：
データチェック部１２は、顧客データにエラーが無い場合、処理をステップＳ１４へ進め、顧客データにエラーが有った場合、処理をステップＳ１５へ進める。
【００４０】
ステップＳ１４：
台紙データ作成部１３は、ＩＣカードを送付時に貼着するカード台紙に対し、送付する際に印刷するカード台紙データを生成する。ここで、カード台紙データは、カードの送付用に用いられる、ＩＣカードが貼着されるカード台紙に印刷されるデータであり、かつ顧客を識別することができる、顧客データにおける一部の種類のデータである。例えば、カード台紙データとしては、顧客データの中から、発行したカードの送付先情報、顧客の名前、顧客の住所などの種類のデータが用いられる。
【００４１】
ステップＳ１５：
データチェック部１２は、ステップＳ１２においてエラーと判定された顧客データの再送付を依頼する制御信号に、再送付を依頼する顧客データの顧客識別番号を付加して送信し、クライアント３のカード管理サーバ３１に対して依頼する。
そして、データチェック部１２は、再送付を依頼した顧客データが、カード管理サーバ３１からデータ送受信部１１を介して供給されると、処理をステップＳ１３へ進める。
【００４２】
ステップＳ１６：
台紙データ印刷部１４は、台紙データ作成部１３が生成したカード台紙データを、カード台紙に印刷する。
このとき、台紙データ印刷部１４は、このカード台紙データの印刷を行う際、カード台紙を封筒（窓付封筒）に封入した際、この窓付封筒に設けられた窓から、送付先の情報と顧客の名前とのみが視認可能となる位置に、かつ送付先の情報及び顧客の名前以外の他のカード台紙データが視認不可能な位置に、カード台紙データを印字する。台紙データ印刷部１４がカード台紙データの各々を印刷するカード台紙における位置は、予め台紙データ印刷部１４に設定されている。
【００４３】
ステップＳ１７：
このとき、ＩＣカードとこのＩＣカードを貼着するカード台紙とは、図２に示すように、ＩＣカード封入封緘装置１８のライン１８１及び１８２の各々を同期して搬送されている。
ＩＣチップリーダ１６は、ＩＣカード内のＩＣチップのメモリから、エンコードデータを読み出し、読み出したエンコードデータを紐付けデータ生成部１７へ送信する。
また、台紙データ読取部１５は、台紙データに印刷された文字をＯＣＲなどで読み込み、得られた文字データを、読み取った場所から、それぞれ送付先の情報、顧客の名前などのデータの種類を判別し、それぞれの種類をカード台紙データと同様の順番に配列させ、読み取った台紙データ（カード台紙データ）として紐付けデータ生成部１７へ送信する。
【００４４】
ステップＳ１８：
紐付けデータ生成部１７は、ＩＣチップリーダ１６から供給されるエンコードデータと、このエンコードデータに同期して台紙データ読取部１５から供給される台紙データとを紐付ける（関連付ける）。
そして、紐付けデータ生成部１７は、顧客データ記憶部１９において、このエンコードデータに紐付けられた台紙データに対応する顧客データを検索する。
【００４５】
次に、紐付けデータ生成部１７は、検索された顧客データに対応する台紙データと紐付けられたエンコードデータを、検索された顧客データに紐付けて書き込んで記憶させる。
これにより、顧客データ記憶部１９において、エンコードデータと、このエンコードデータが記憶されたＩＣカードが貼着された台紙カードに印刷された顧客の顧客データとが紐付けられることになる。
【００４６】
ステップＳ１９：
紐付けデータ生成部１７は、クライアント３のカード管理サーバ３１から供給された顧客データ全てに対するエンコードデータの紐付けが終了すると、クライアント３から供給された顧客データの顧客識別番号と、この顧客データに紐付けられたエンコードデータと組み合わせを送信する。
クライアント３のカード管理サーバ３１は、紐付けデータ生成部１７から送付される顧客データの顧客識別番号とこの顧客データに紐付けられたエンコードデータとが供給されると、顧客管理データベース３２において、各顧客データのに対して紐付けられたエンコードデータを対応させて書き込む。
これにより、顧客管理データベース３２において、エンコードデータと、このエンコードデータが記憶されたＩＣカードが貼着されたカード台紙に印刷された顧客の顧客データとが紐付けられることになる。これにより、実質的な顧客データとエンコードデータとの紐付け処理が終了する。
【００４７】
ステップＳ２０：
カード発行工場１において、担当者は、ＩＣカード封入封緘装置１８から搬出されるＩＣカードが貼着されたカード台紙が封入された封筒の顧客への発送を行う。
【００４８】
上述したように、本実施形態においては、ＩＣカードの顧客データを書き込まず、ＩＣカードに書き込まれているエンコードデータと顧客データとを、クライアント３のカード管理データベース３２において紐付けるている。
このため、本実施形態において、ＩＣカードにカードエンコードを書き込む２次発行の段階において、カードエンコードと顧客データとが紐付けられて、ＩＣカードのメモリに記憶されていないため、従来のように、打損カードが検出されても、顧客データト紐付けるＩＣカードを他のＩＣカードと容易に交換が可能である。
したがって、本実施形態によれば、交換したＩＣカードのエンコードデータと、顧客データとを紐付けた後、このＩＣカードを貼着したカード台紙の封筒への封入封緘処理を行うことで、従来のように打損カードが検出されても、容易にＩＣカードの交換ができ、封入封緘処理において遅延が起こることが無くなり、従来に比較して製造原価を低下させることができる。
【００４９】
また、図１におけるカード発行工場１の各部の機能を実現するためのプログラムをコンピュータ読み取り可能な記録媒体に記録して、この記録媒体に記録されたプログラムをコンピュータシステムに読み込ませ、実行することによりカード発行工程の管理を行ってもよい。なお、ここでいう「コンピュータシステム」とは、ＯＳや周辺機器等のハードウェアを含むものとする。
【００５０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５１】
以上、この発明の実施形態を図面を参照して詳述してきたが、具体的な構成はこの実施形態に限られるものではなく、この発明の要旨を逸脱しない範囲の設計等も含まれる。
【符号の説明】
【００５２】
１…カード発行工場
２…カード製造工場
３…クライアント
５…ネットワーク
１１…データ送受信部
１２…データチェック部
１３…台紙データ生成部
１４…台紙データ印刷部
１５…台紙データ読取部
１６…ＩＣチップリーダ
１７…紐付けデータ生成部
１８…ＩＣカード封入封緘装置
１９…顧客データ記憶部
２１…製造サーバ
２２…製造データベース
２３…カード製造装置
２４…０次・１次発行部
２５…２次発行部
３１…カード管理サーバ
３２…カード管理データベース
【図１】
0005741845.tif 000002
【図２】
0005741845.tif 000003
【図３】
0005741845.tif 000004
【図４】
0005741845.tif 000005